(57)【要約】      （修正有）【課題】寝た状態の人に飲ませようとする場合の問題点を解消する実用的な飲料用ボトルを提供すること。【解決手段】ボトル本体１の上口部１ａに蓋体２が開閉自在に設けられた飲料用ボトルであって、前記ボトル本体１の側周面には側方に向けて突出する側方口部３が設けられたものである。【選択図】図１
2017210273.tif 000002
【特許請求の範囲】
【請求項１】
ボトル本体の上口部に蓋体が開閉自在に設けられた飲料用ボトルであって、前記ボトル本体の側周面には側方に向けて突出する側方口部が設けられていることを特徴とする飲料用ボトル。
【請求項２】
請求項１記載の飲料用ボトルにおいて、前記ボトル本体は、胴部の上部に該胴部よりも径小の首部が設けられた構成であり、この首部の頂部に前記上口部が設けられ、また、この首部の側周面に前記側方口部が設けられていることを特徴とする飲料用ボトル。
【請求項３】
請求項１，２いずれか１項に記載の飲料用ボトルにおいて、前記側方口部は前記上口部よりも径小であることを特徴とする飲料用ボトル。
【請求項４】
請求項１〜３いずれか１項に記載の飲料用ボトルにおいて、前記側方口部は前記上口部の軸心と直交する方向に向けて突出されていることを特徴とする飲料用ボトル。
【請求項５】
請求項１〜４いずれか１項に記載の飲料用ボトルにおいて、前記側方口部には蓋体が開閉自在に設けられていることを特徴とする飲料用ボトル。
【請求項６】
請求項１〜５いずれか１項に記載の飲料用ボトルにおいて、前記ボトル本体は合成樹脂製であることを特徴とする飲料用ボトル。
【発明の詳細な説明】
【技術分野】
【０００１】
本発明は、飲料用ボトルに関するものである。
【背景技術】
【０００２】
従来から、ボトル本体31の上口部31ａに蓋体32が開閉自在に設けられた合成樹脂製の飲料用ボトル（以下、従来例）が提案されており、この従来例は軽量である為、飲料を手軽に持ち運んで飲むことができ、広く普及している。
【０００３】
ところで、この従来例の飲料を飲む場合、図６に図示したように顔の正面で上口部31ａに口をつけ、ボトル本体31の底部が上方となるように傾斜させ、顔を上に向けた状態で飲むことになるが、この姿勢で例えば自動車の運転やジョギングなどしながら飲むのは厄介であり、しかも、この顔の正面に配されたボトル本体31が視界の妨げとなってしまい極めて危険になる。
【０００４】
その他、従来例は、上口部31ａの径を、ボトル本体31に飲料を詰めることからある程度の大きさにしなければならず、従って、上口部31ａから飲料が勢いよく排出され、例えば幼児や被介護者など寝た状態の人に飲ませようとする場合には、むせたりしてやはり厄介である。
【発明の概要】
【発明が解決しようとする課題】
【０００５】
本発明は、前述した問題点を解消する、従来にない作用効果を発揮する実用的な飲料用ボトルを提供する。
【課題を解決するための手段】
【０００６】
添付図面を参照して本発明の要旨を説明する。
【０００７】
ボトル本体１の上口部１ａに蓋体２が開閉自在に設けられた飲料用ボトルであって、前記ボトル本体１の側周面には側方に向けて突出する側方口部３が設けられていることを特徴とする飲料用ボトルに係るものである。
【０００８】
また、請求項１記載の飲料用ボトルにおいて、前記ボトル本体１は、胴部１Ａの上部に該胴部１Ａよりも径小の首部１Ｂが設けられた構成であり、この首部１Ｂの頂部に前記上口部１ａが設けられ、また、この首部１Ｂの側周面に前記側方口部３が設けられていることを特徴とする飲料用ボトルに係るものである。
【０００９】
また、請求項１，２いずれか１項に記載の飲料用ボトルにおいて、前記側方口部３は前記上口部１ａよりも径小であることを特徴とする飲料用ボトルに係るものである。
【００１０】
また、請求項１〜３いずれか１項に記載の飲料用ボトルにおいて、前記側方口部３は前記上口部１ａの軸心と直交する方向に向けて突出されていることを特徴とする飲料用ボトルに係るものである。
【００１１】
また、請求項１〜４いずれか１項に記載の飲料用ボトルにおいて、前記側方口部３には蓋体４が開閉自在に設けられていることを特徴とする飲料用ボトルに係るものである。
【００１２】
また、請求項１〜５いずれか１項に記載の飲料用ボトルにおいて、前記ボトル本体１は合成樹脂製であることを特徴とする飲料用ボトルに係るものである。
【発明の効果】
【００１３】
本発明は上述のように構成したから、前述した従来例と異なり、顔を上に向けずに飲むことができ、しかも、ボトル本体が視界の妨げとなったりせず良好に飲むことができるなど、従来にない作用効果を発揮する実用的な飲料用ボトルを提供する。
【図面の簡単な説明】
【００１４】
【図１】本実施例を示す斜視図である。
【図２】本実施例の要部を説明する斜視図である。
【図３】本実施例の要部を説明する断面図である。
【図４】本実施例の使用状態説明図である。
【図５】本実施例の使用状態説明図である。
【図６】従来例の使用状態説明図である。
【発明を実施するための形態】
【００１５】
好適と考える本発明の実施形態を、図面に基づいて本発明の作用を示して簡単に説明する。
【００１６】
ボトル本体１内の飲料を飲む際、前述した従来例と同様、ボトル本体１の上口部１ａから飲むことができるのは勿論、ボトル本体１の側周面に設けられた側方口部３から飲むことができる。
【００１７】
この側方口部３は、ボトル本体１の側周面から側方に向けて突出している構造の為、この側方口部３に口をつけた状態においては、ボトル本体１はその長さ方向が顔の縦方向ではなく横方向に長さを有する状態となる（図４，５参照）。
【００１８】
つまり、側方口部３に口をつけた状態でボトル本体１の底が上になるように傾斜状態とすれば飲むことができ（顔を上に向けなくても良い）、よって、ボトル本体１が顔の正面を隠蔽することはなく、視界が遮られることは無い。従って、顔を上に向けずに飲むことができ、しかも、ボトル本体１が視界の妨げとなったりせず良好に飲むことができる。
【実施例】
【００１９】
本発明の具体的な実施例について図面に基づいて説明する。
【００２０】
本実施例は、ボトル本体１の上口部１ａに蓋体２が開閉自在に設けられた飲料用ボトルであって、前記ボトル本体１の側周面には側方に向けて突出する側方口部３が設けられたものである。
【００２１】
具体的には、ボトル本体１は、図１〜３に図示したように適宜な合成樹脂製の部材で形成した縦長ボトル形状体（所謂ペットボトル）であり、胴部１Ａの上部に該胴部１Ａよりも径小の首部１Ｂが設けられた構成である。尚、ボトル本体１は合成樹脂製に限らず、金属製やガラス製でも良い。
【００２２】
また、ボトル本体１（首部１Ｂ）の上部には飲み口としての上口部１ａが設けられ、この上口部１ａの外側周面には蓋体２（キャップ）が螺合する螺旋凸条１ｂが形成されている。尚、上口部１ａに対する蓋体２の装着構造は螺子構造に限らず引き抜き自在な押し込み装着構造でも良い。符号２ａは蓋体２を開封した際に開封済み状態を示すエンドリングである。
【００２３】
また、ボトル本体１の側周面には側方に向けて突出する側方口部３が設けられている。
【００２４】
この側方口部３は、図１〜３に図示したようにボトル本体１の首部１の側周面に所定長の円筒状部を一体成形して構成されており、上口部１ａよりも径小に設定されている。
【００２５】
また、側方口部３の突出量は、側方口部３の先端が胴部１Ａにおける最大径部位の外縁を通過する垂直線Ｌと同一若しくは略同一となる突出量に設定されている。
【００２６】
従って、側方口部３がボトル本体１から必要以上に突出しておらず邪魔にならない。
【００２７】
また、側方口部３は、上口部１ａの軸心Ｐと直交する方向に向けて突出されている。
【００２８】
尚、側方口部３を上口部１ａの軸心Ｐと傾斜する方向に向けてボトル本体１に突出する構成でも良い。
【００２９】
また、側方口部３の外側周面には蓋体４（キャップ）が螺合する螺旋凸条３ａが形成されており、この蓋体４は側方口部３に開閉自在に設けられている。尚、側方口部３に対する蓋体４の装着構造は螺子構造に限らず引き抜き自在な押し込み装着構造でも良い。符号４ａは蓋体４を開封した際に開封済み状態を示すエンドリングである。
【００３０】
本実施例は上述のように構成したから、ボトル本体１内の飲料を飲む際、前述した従来例と同様、ボトル本体１の上口部１ａから飲むことができるのは勿論、ボトル本体１の側周面に設けられた側方口部３から飲むことができる。
【００３１】
この側方口部３は、ボトル本体１の側周面から側方に向けて突出している構造の為、この側方口部３に口をつけた状態においては、ボトル本体１はその長さ方向が顔の縦方向ではなく横方向に長さを有する状態となる（図４，５参照）。
【００３２】
つまり、側方口部３に口をつけた状態でボトル本体１の底が上になるように傾斜状態とすれば飲むことができ（顔を上に向けなくても良い）、よって、ボトル本体１が顔の正面を隠蔽することはなく、視界が遮られることは無い。従って、顔を上に向けずに飲むことができ、しかも、ボトル本体１が視界の妨げとなったりせず良好に飲むことができる。
【００３３】
よって、本実施例によれば、顔を上に向けずに飲むことができ、しかも、ボトル本体１が視界の妨げとなったりせず良好に飲むことができる。
【００３４】
また、本実施例は、ボトル本体１は、胴部１Ａの上部に該胴部１Ａよりも径小の首部１Ｂが設けられた構成であり、この首部１Ｂの頂部に前記上口部１ａが設けられ、また、この首部１Ｂの側周面に側方口部３が設けられているから、ボトル本体１から側方口部３が必要以上に飛び出た状態とならず邪魔にならない。
【００３５】
また、本実施例は、側方口部３は上口部１ａよりも径小であるから、飲料の排出量を抑えながら飲むことができる。
【００３６】
また、本実施例は、側方口部３は上口部１ａの軸心と直交する方向に向けて突出されているから、確実に正面を蒸した姿勢で飲むことができる。
【００３７】
また、本実施例は、側方口部３には蓋体４が開閉自在に設けられているから、蓋体４を開閉していつでも良好に飲むことができる。
【００３８】
また、本実施例は、飲料を飲んだ後も再利用に便利である。
【００３９】
具体的には、病院や介護施設などでの飲料飲み用や薬飲み用、赤ちゃん幼児のジュースやミルク等の飲料飲み用、児童の遠足に湯冷まし水を入れる飲料飲み用などで再利用できる。
【００４０】
尚、本発明は、本実施例に限られるものではなく、各構成要件の具体的構成は適宜設計し得るものである。
【符号の説明】
【００４１】
１  ボトル本体
１ａ  上口部
１Ａ  胴部
１Ｂ  首部
２  蓋体
３  側方口部
４  蓋体
【図１】
2017210273.tif 000003
【図２】
2017210273.tif 000004
【図３】
2017210273.tif 000005
【図４】
2017210273.tif 000006
【図５】
2017210273.tif 000007
【図６】
2017210273.tif 000008